(57)【特許請求の範囲】
【請求項１】
グリル庫の前面開口部に開閉自在に設けたグリル扉と、前記グリル庫内に収納され前記グリル扉の開閉操作に連動して摺動自在に設置された水受皿と、前記グリル扉と着脱自在に締結し前記水受皿の外周に外嵌して連結状態を形成する略矩形状の連結部材と、前記連結部材に固定されグリル庫の底板との間に当接点を有すると共に前記水受皿の後部縁との間に回動規制間隙を形成した連結補助部材とを備え、前記連結部材は前記水受皿の両側縁に設けた係止部材に係止して、前記グリル扉の開閉操作時に回動するための支点を形成するとともに、前記連結補助部材とグリル庫の底板との当接点により、所定の引き出し量から作用を開始し予め設定された回動規制間隙内で、前記グリル扉が回動するための第２の支点となる補助支点を形成したことを特徴とするグリル。
【請求項２】
連結補助部材は、連結部材の係止部から後方側において、水受皿収納状態で底板に当接して支持するとともに、水受皿の引き出し操作に応じて前記係止部下方の当接点を支点として上方へ回動し、前記水受皿後端部と当接するまでの回動規制間隙内でグリル扉の回動量を規制するようにした請求項１記載のグリル。
【請求項３】
グリル扉と水受皿を連結部材で係止して、前記連結部材と前記水受皿の着脱を自由にし、かつ前記水受皿の前後方向を示す表示を設けた請求項１記載のグリル。
【請求項４】
連結部材によって係止した係止部分を支点とするとともに、前記連結部材とグリル庫の底板との当接部を補助支点とし、前記支点を中心としてグリル扉の回動が自在となり、前記補助支点はグリル扉の引き出し操作に連動して前記支点を中心として移動しながら連結補助部材を上方に回動するグリルにおいて、前記係止部分の支点及び前記補助支点は前記水受皿の重心より前記水受皿の後方向に設けられた請求項１記載のグリル。
【発明の詳細な説明】
【０００１】
【産業上の利用分野】
本発明は、テーブルこんろ等に設けられるグリルの構成に関する。
【０００２】
【従来の技術】
この種のグリルは、前面が開口した箱状のグリル庫を有し、グリル庫の底板上に水受皿が摺動自在に載置される。このグリル庫と水受皿とは、それぞれに独立に動くものと、グリル扉を開閉したとき水受皿が連動するものがある。また連動するものには、グリル扉が回動し、この回動に伴い水受皿が移動するものと、グリル扉を前後方向に移動させると水受皿が一体的に水平移動するもの等がある。
【０００３】
【発明が解決しようとする課題】
グリル庫と水受皿とが一体的に水平移動するものは、水受皿の引出し操作性は優れるが、引出し後に水受皿内に載置された焼網の面に対し、グリル扉の上端が大きく上方に突出しているため、焼網上の調理物を取扱う場合、グリル扉が邪魔になる。本発明の第１の目的は、水受皿を引き出した際、グリル扉が下方に変位し、水受皿に載置された焼網の面に対しほぼ同じ位置まで降下させて焼網上に置かれた調理物の取扱い時にグリル扉が邪魔にならないようにすると同時に、グリル扉で調理物を取扱っている人の手、手首等がグリル扉に触れて火傷などにあう事故を未然に防止する安全なグリルの構成を提供することにある。
【０００４】
第２の目的は、上記に加えて、グリル扉が下方へ降下する時に、グリル扉の回動をスムーズに行い、かつ、グリル扉と水受皿の構成関係を保持する連結部材の位置保持を確実に行い、確実なグリル扉の回動を保証するグリルを提供することにある。
【０００５】
第３の目的は、さらに上記に加えて、グリルをグリル庫から引き出したとき、グリル扉が下方へグリル扉と水受皿を連結した係止部分を支点とし、連結部材とグリル庫の底板との間で構成した補助支点の両支点を中心として回動する角度を保つことのできるグリルを提供することにある。
【０００６】
第４の目的は、グリル庫と水受皿を連結する連結部材から、グリルで調理物を取扱う際に水受皿を取外した時に、水受皿の位置関係を明確に示して、再度連結部材の係止部分に水受皿をセットする作業を容易にするグリルを提供することにある。
【０００７】
第５の目的は、グリル扉が連結部材の両支点を中心にして回動する構成において、グリル庫から水受皿を扉部分を持って取出し、運搬する際に水受皿が係止部分の支点を中心として回動しないように支点の位置規制をすることで、運搬中における調理物の落下等を未然に防止するグリルを提供することにある。
【０００８】
【課題を解決するための手段】
上記目的を達成するため本発明のグリルは、グリル庫の前面開口部に開閉自在に設けたグリル扉と、前記グリル庫内に収納され前記グリル扉の開閉操作に連動して摺動自在に設置された水受皿と、前記グリル扉と着脱自在に締結し前記水受皿の外周に外嵌して連結状態を形成する略矩形状の連結部材と、前記連結部材に固定されグリル庫の底板との間に当接点を有すると共に前記水受皿の後部縁との間に回動規制間隙を形成した連結補助部材とを備え、前記連結部材は前記水受皿の両側縁に設けた係止部材に係止して、前記グリル扉の開閉操作時に回動するための支点を形成するとともに、前記連結補助部材とグリル庫の底板との当接点により、所定の引き出し量から作用を開始し予め設定された回動規制間隙内で、前記グリル扉が回動するための第２の支点となる補助支点を形成したものである。
【０００９】
また、連結補助部材は、連結部材の係止部から後方側において、水受皿収納状態で底板に当接して支持するとともに、水受皿の引き出し操作に応じて前記係止部下方の当接点を支点として上方へ回動し、前記水受皿後端部と当接するまでの回動規制間隙内でグリル扉の回動量を規制するようにしたものである。
【００１０】
また、グリル扉と水受皿を連結部材で係止して、前記連結部材と前記水受皿の着脱を自由にし、かつ、前記水受皿の前後方向を示す表示を設けたものである。
【００１１】
また、連結部材によって係止した係止部分を支点とするとともに、前記連結部材とグリル庫の底板との当接部を補助支点とし、前記支点を中心としてグリル扉の回動が自在となり、前記補助支点はグリル扉の引き出し操作に連動して前記支点を中心として移動しながら連結補助部材を上方に回動するグリルにおいて、前記係止部分の支点及び前記補助支点は前記水受皿の重心より前記水受皿の後方向に設けられたものである。
【００１２】
【作用】
本発明のグリルによれば、グリル扉の杷手を持って前方へ引っ張る操作をした時、グリル扉と水受皿は共にグリル庫から引き出され、任意の位置で杷手から手を放すと、グリル扉は幾分下方に変位（降下）する。さらに、構成によって規制された位置最前部（これ以上引き出せないように構造から規制されている位置）まで引き出すとさらにグリル扉が下方へ変位する（この変位量が最大変位となっている）。このようにグリル扉が引き出された状態において、水受皿に載置された焼網の位置に対してグリル扉の上端の位置は同等の位置もしくは若干の上下位置に存在し、焼網上の調理物を操作する時にグリル扉の上端、側端等に操作する人の手、手首等が触れることがなくなる。
【００１３】
また、グリル扉の杷手を持ってグリル庫からグリル扉と水受皿を最前部まで引き出した時、水受皿とグリル扉を連結した連結部材は、連結した係止部分を支点として回転する。この時グリル扉、水受皿をグリル庫内へ収納している時、あるいは、引き出し操作時等には、連結部材と水受皿の係止構造が、連結部材の一部に水受皿の側面に設けられた逆Ｕ字状の切欠き部を嵌合して水受皿は連結部材との間で着脱自在構造であるためと、連結部材の係止部分より後部は上方へ回動するために、連結部材は自重あるいは引き出し操作による杷手への荷重のかけ具合によってグリル庫の底板方向へ降下してついには水受皿と連結部材の係止部分において係止がはずれてしまう。従って、この係止部分近傍に、連結部材をグリル庫の底板に当接して支える連結補助部材を設けて防止して課題を解消する構成を得ている。よって、この連結補助部材とグリル庫の底板との当接部を補助支点として、前述の支点と合わせてグリル扉は連結部材を介して回動するので、グリル扉の回動及び水受皿の引き出し及び収納が確実に容易に行える。
【００１４】
また、グリル扉と水受皿を連結した連結部材は、水受皿とグリル扉を連結部材にて係止した係止部分より後部で後方下りに構成され、水受皿後端部との間に間隙が構成されているため、杷手を持ってグリル庫からグリル扉、水受皿を引き出した時に、係止部分の支点と、グリル庫の底板と連結補助部材との当接部の補助支点にてグリル扉が下方へ回動して降下する。この時、連結部材の係止部分より後方部分は、係止部分の動きとは反対方向である上方方向へ回動する。この回動範囲は、連結部材の係止部分より後方で連結部材と水受皿間の間隙量で決定され、この部分の連結部材が水受皿に当接するまで回動して回動は停止する。従って、グリル扉はこの時点で下方への降下を停止し、水受皿に載置された焼網位置に対して略同程度まで降下する間隙量を構成しておけば、焼網上の調理物の操作時にグリル扉が安全な位置に在位していて取扱いが便利となる。
【００１５】
また、グリル扉と水受皿を係止する連結部材の一部に水受皿の側面に設けた逆Ｕ字状の切欠き部を嵌合して水受皿と連結部材との係止を着脱自在構成にした時、調理物の取扱い、あるいは、水受皿の掃除等の時に水受皿を係止部分からはずし、再度係止を行う作業を行う際に水受皿の係止部分が側面で上部からは位置確認ができないために水受皿に水受皿が現在どの方向にあるかを表示（例えば、テマエ、オク等である）をして方向指示しておくことで、連結部材に対する水受皿の装着が確実にかつ容易に行える。
【００１６】
また、グリル扉と水受皿を連結部材で係止した時、水受皿の引き出し方向に対する前後方向において水受皿の重心以外、即ち、重心をはずれた部分の側面にて係止したので、グリル扉の杷手部分を持って、グリル庫から連結部材を介して水受皿を引き出して運搬等している時に係止部分を支点として水受皿が前後方向に回転することがなく、焼網上の調理物が落下したり、水受皿に留まった調理物から調理中に排出された汁等がこぼれる事がないので運搬者にかかることもない。
【００１７】
【実施例】
本発明の一実施例を図１〜図４に示し説明する。１はテーブルコンロに設置されるグリルを示す。グリル１は、前面が開口した箱状のグリル庫２と、グリル庫２の前面開口３を開閉自在であるグリル扉４と、グリル庫２の底板５上に前後摺動自在に設置された水受皿６と、水受皿６に設けた係止部分７で係止、連結する連結部材８とを備える。
【００１８】
水受皿６内には焼網９が載置される。グリル庫２には上方にバーナ（図示せず）を臨ませるための天窓１０を有し、底板５の前部１１よりグリル庫２内へ入った位置に水受皿６のグリル庫２からの引き出し量を規制する突起状ストッパー１２が設けられている。
【００１９】
グリル扉４は、上部にガラス窓１３を有する枠板１４と、その前面下部に固着された杷手１５と、枠板１４の背面に設けられ、連結部材８を着脱可能に締結するための締結機構１６が付設されている。
【００２０】
水受皿６は、プレス成形された矩形状の容器部１７と、その外周に設けられた縁部１８とからなり、容器部１７の底には水受皿６をグリル庫２から杷手１５を介して引き出した時の引き出し量を突起状ストッパー１２との間で規制する突設したストッパー１９が設けられている。
【００２１】
水受皿６の容器部１７の両側の側壁２０には、逆Ｕ字状の切欠き２１を有した水受皿６とは別体の係止部２２がスポット溶接などで両側に固定され、側壁２０と係止部材２２間には切欠き２１部分を中心にして間隙３３が設けられている。
【００２２】
水受皿６の前部及び後部縁２４、２５及び両側縁２６、２７が設けられ、係止部材２２は両側縁２６、２７の下方で両側縁２６、２７内に設けられている。
【００２３】
連結部材８は、金属線を折り曲げて、水受皿６の容器部１７の外周に外嵌される略矩形状の環状部材２８と、この環状部材２８の側材２９に溶接されて略矩形状の内側方向へ突出した突材３０と環状部材２８の後材に溶接された連結補助部材３１とから構成されている。
【００２４】
連結補助部材３１は、略矩形状の環状部材２８に水受皿６を係止部分７で係止した際に後部縁２５の内側になるように設けられている。側材２９は、水受皿６をグリル庫２に完全に収納された状態で係止部分７を基点としてグリル扉４側ではグリル庫２の前方へ向かって穏やかに下方に傾斜し、底板５に当接した最下点３２から前方は、鍵状に曲げられて上位に変位し、環状部材２８の前側は締結機構１６部分に溶接又はネジ止め等で固定されている。側材２９の係止部分７から後方は、後方に向かって穏やかに下方に傾斜し、連結補助部材３１の部分では水受皿６の後部縁２５との間にグリル扉４が下降した時のための回動規制間隙３３が設けられている。
【００２５】
以上の構成において、水受皿６は連結部材８の突材３０に切欠き２１を嵌合させて載置される。この際、容器部１７は環状部材２８内に嵌まり込み、環状部材２８の両側材２９の前部の最上点３４において両側縁２６、２７の前部を下方から支持する。また、後は後部縁２５との間に回動規制間隙３３が形成されているため、水受皿６は係止部分７と最上点３４と両側縁２６、２７の当接部分にて連結部材８との間で保持される。
【００２６】
グリル扉４および水受皿６を引き出した際、水受皿６は係止部分７で連結部材８と逆Ｕ字状の切欠き２１で前後方向に対して両者が分離しないように固定されているために、水受皿６はグリル庫２から容易に引き出され、引き出し操作が継続されると、突起状ストッ
パー１２にストッパー１９が当接して、さらなる引き出し操作はできなくなる。
【００２７】
この際のグリル扉４、水受皿６、連結部材８の動きは、係止部分７と連結補助部材３１と底板５の当接点３５を支点として、グリル扉４は自重にて下方へ回動し、連結部材８の後は上方へ回動し、両者の回動量は、連結補助部材３１が後部縁２５に当接するまでである。当接点３５は、この引き出し操作の際は、底板５との間で滑りながら位置がグリル庫２の前方向に遂次変化している。なお、水受皿６は、グリル庫２の側壁３６の水受皿６の案内部３７で水平移動するように規制されている。
【００２８】
なお、グリル庫４が下方向へ回動した時、連結部材８の環状部材２８の側材２９は、グリル庫２の前部１１に回動規制間隙３３がゼロになった時当接するように構成しておけば、より回動量が確実に規制される。
【００２９】
また、グリル庫４の引き出し操作をグリル扉４を完全に引き出さないで途中で停止した場合は、前部１１に側材２９が当接し、案内部３７で水受皿６を固定しているために、係止部分７と当接点３５を支点としてグリル扉４は下方へ回動する。
【００３０】
従って、グリル扉４の動きは、グリル庫２内に水受皿６が完全に収納されている時は回動量ゼロで引き出し量に応じて回動を開始し、突起状ストッパー１２にストッパー１９が当接した時が最大回動量になる。この最大回動量の時、グリル扉４の上端に相当する枠板１４の上端が、水受皿６に載置された焼網９とほぼ同一面となるように設定されている。
【００３１】
従って、グリル使用者が焼網９上にて調理物を調理する時に、グリル扉４が下方へ降下して、使用者がグリルの前面に位置して作業する場合に調理物との間に障害物がないので作業が容易に行えると同時に、グリル扉４等に接触して手、手首等を火傷することもなく安全なグリルを提供できることになる。
【００３２】
また、水受皿６と連結部材８は着脱自在に装着できるように構成したので、水受皿６の調理後の掃除等は、グリル扉４と水受皿６を溶接等で完全に固定した場合に比べて外郭が小さいので容易に行える便利なグリルとなり、水受皿となる。
【００３３】
また、水受皿６に使用者に対する水受皿６の位置、あるいは方向を示す表示又は印字を容器部１７の底面部分等見やすい位置に水受皿６のプレス成形時に金型等で刻印して設けたので、連結部材８に水受皿６を着脱操作する時に方向が誤ることがなく使いやすい。
【００３４】
また、水受皿６の重心をはずした部分に係止部分７を設けて連結部材８にて水受皿６を保持したので、グリル扉４の杷手１５部分を持って、グリル庫２から水受皿６を完全に引き出して持ち運ぶ時、水受皿６は係止部分７と最下点３２から前方に鍵状に曲げられた側材２９の最上点３４が両側縁２６、２７に当接して支えられる。
【００３５】
この時、水受皿６の重心は、係止部分７と前方に存在するので、持ち運び作業等で水受皿６が傾斜して内部に留まっている水、焼網９上に載置されている調理物が落下することがなく、安全で使いやすいグリルが提供できるのである。
【００３６】
【発明の効果】
本発明によれば次の効果を有する。
【００３７】
まず、グリル庫からグリル扉を引き、水受皿を引き出した時、グリル扉は下方へ回動して、水受皿に載置された焼網と略同等の位置まで降下しているので、焼網上の調理物処理する際、使用者が手、手首等をグリル扉に触れることがないため、処理中に高温になって
いるグリル扉等にてふれて火傷をすることもなく、使用者に安全で使いやすいグリルとなる。
【００３８】
また、水受皿とグリル扉を連結部材で固定し、水受皿を着脱自在にしたので、水受皿の掃除、持ち運び等が容易にできる。
【００３９】
また、グリル扉と水受皿を連結部材で係止し、さらに係止部分を補助する補助支点を設けたのでグリル扉の回動がスムーズに行なわれると同時に、係止部分において、グリル扉と水受皿が離脱することなく確実な係止が行われる。
【００４０】
また、水受皿に水受皿の方向を示す表示を設けたので、水受皿を連結部材からはずした後に最装着する際に係止方向を誤ることなく操作がスムーズに行える。
【００４１】
また、水受皿を連結部材にて支持した時に水受皿の重心の位置を支持位置より前方になるよう構成したので、受皿が連結部材上で傾斜することがなく、使用が容易なグリルとなる。
【図面の簡単な説明】
【図１】  本発明の一実施例におけるグリル斜視図
【図２】  同実施例のグリル庫、水受皿の側面図
【図３】  同実施例の部分拡大図
【図４】  同実施例における水受皿、連結部材の分解図
【符号の説明】
１  グリル
２  グリル庫
４  グリル扉
５  底板
６  水受皿
７  係止部分
９  連結部材
【図１】
0003814845.tif 000002
【図３】
0003814845.tif 000003
【図４】
0003814845.tif 000004
【図２】
0003814845.tif 000005